(57)【要約】【課題】装着の不自然さが出てしまうことを効果的に抑制することが可能なウィッグ及びウィッグの作成方法を提供すること。【解決手段】頭部に装着される装着部を備えたウィッグベースと、前記ウィッグベースに植設された毛髪を備える毛髪部とを具備し、前記毛髪部は、前記頭部に装着された際に前記頭部側に位置される第１の毛髪部の少なくとも一部が、前記頭部側に向かって突出するように切断されているウィッグ。【選択図】図３
2020037754.tif 000002
【特許請求の範囲】
【請求項１】
頭部に装着される装着部を備えたウィッグベースと、
前記ウィッグベースに植設された毛髪を備える毛髪部と
を具備し、
前記毛髪部は、前記頭部に装着された際に前記頭部側に位置される第１の毛髪部の少なくとも一部が、前記頭部側に向かって突出するように切断されている
ことを特徴とするウィッグ。
【請求項２】
前記ウィッグベースは、前記毛髪が植設される領域の輪郭の少なくとも一部が、弧状に形成されていることを特徴とする請求項１に記載のウィッグ。
【請求項３】
前記装着部は、装着対象の毛髪を挟持し、前記装着部の少なくとも一部には、前記装着対象の毛髪を保護する保護層が設けられることを特徴とする請求項１又は２に記載のウィッグ。
【請求項４】
前記ウィッグベースには、２以上の前記装着部が設けられることを特徴とする請求項１ないし３のいずれかに記載のウィッグ。
【請求項５】
前記第１の毛髪部の前記少なくとも一部は、根元から毛先の方向に沿って徐々にそぎ取るテーパリングによって突出するように切断されること
をことを特徴とする請求項１ないし４のいずれかに記載のウィッグ。
【請求項６】
頭部に装着される装着部を用意するステップと、
前記装着部が取り付けられ、毛髪が植設されるウィッグベースを用意するステップと、
前記ウィッグベースに前記装着部を取り付けるステップと、
前記毛髪のうち、前記頭部に装着された際に前記頭部側に位置される毛髪の少なくとも一部が、前記頭部側に向かって突出するように切断された毛髪部を用意するステップと
を有することを特徴とするウィッグの作成方法。
【発明の詳細な説明】
【技術分野】
【０００１】
本発明は、頭部に乗せて使用するウィッグ及びウィッグの作成方法に関する。
【背景技術】
【０００２】
ウィッグは、頭髪の減少を視覚的にカバー（自毛のボリューム不足を補なうように）したり、アクセサリー感覚でファッションの一部として用いられたりしている。
【０００３】
このようなウィッグに対して、装着者自身の頭髪（自毛）と自然になじみ、装着の不自然さが出てしまわないことが望まれており、このことに鑑みて、装着者の毛髪の前額部生え際や、耳まわりや、襟足など、他の部位に比べて毛髪が短く産毛が生えている部分と対応する部位に産毛状の人口毛を備えたウィッグが提案されている（例えば、特許文献１参照）。
【先行技術文献】
【特許文献】
【０００４】
【特許文献１】特開２０１７−００８４４８号公報
【発明の概要】
【発明が解決しようとする課題】
【０００５】
上記のようなウィッグでは、装着者の姿勢や、動作や、風によって、例えば、ウィッグが頭髪から浮いてしまったり、装着位置がずれてしまったりして装着の不自然さが出てしまうことがあった。
【０００６】
本発明は、上記課題の解決のためになされたものであり、装着の不自然さが出てしまうことを効果的に抑制することが可能なウィッグ及びウィッグの作成方法を提供することを目的とする。
【課題を解決するための手段】
【０００７】
上記の課題を解決すべく、本発明に係るウィッグは、頭部に装着される装着部を備えたウィッグベースと、前記ウィッグベースに植設された毛髪を備える毛髪部とを具備し、前記毛髪部は、前記頭部に装着された際に前記頭部側に位置される第１の毛髪部の少なくとも一部が、前記頭部側に向かって突出するように切断されていることを特徴とする。
【発明の効果】
【０００８】
本発明によれば、装着の不自然さが出てしまうことを効果的に抑制することが可能なウィッグ及びウィッグの作成方法を提供することができる。
【図面の簡単な説明】
【０００９】
【図１】第１の実施形態に係るウィッグの概略図である。
【図２】ウィッグベースの形状のバリエーションを示す概略図である。
【図３】第１の実施形態に係るウィッグの一部を示す概略図である。
【図４】第１の実施形態に係るウィッグの固定具の構成図である。
【図５】第１の実施形態に係るウィッグの使用方法を説明する概略図である。
【図６】変形例１に係るウィッグの概略図である。
【図７】変形例２に係るウィッグの概略図である。
【図８】変形例３に係るウィッグの概略図である。
【図９】被験者の頭部を頭頂部からみた概略図である。
【図１０】電子顕微鏡による毛髪の検査結果を示す図である。
【図１１】電子顕微鏡による毛髪の検査結果を示す図である。
【図１２】電子顕微鏡による毛髪の検査結果を示す図である。
【図１３】電子顕微鏡による毛髪の検査結果を示す図である。
【図１４】マイクロスコープによる頭皮の検査結果を示す図である。
【図１５】マイクロスコープによる頭皮の検査結果を示す図である。
【図１６】マイクロスコープによる頭皮の検査結果を示す図である。
【図１７】マイクロスコープによる頭皮の検査結果を示す図である。
【図１８】サーモグラフィーカメラによる頭皮の検査結果を示す図である。
【図１９】サーモグラフィーカメラによる頭皮の検査結果を示す図である。
【図２０】サーモグラフィーカメラによる頭皮の検査結果を示す図である。
【図２１】サーモグラフィーカメラによる頭皮の検査結果を示す図である。
【発明を実施するための形態】
【００１０】
（第１の実施形態）
以下、図面を参照して本発明の実施形態を説明する。図１は、第１の実施形態に係るウィッグの概略図である。図２は、ウィッグベース１０の形状のバリエーションを示す概略図である。図３は、第１の実施形態に係るウィッグの一部を示す概略図である。
【００１１】
図１（ａ）は、ウィッグ１を裏側（利用者の頭髪に装着される側）からみた概略図であり、図１（ｂ）は、表側からみた概略図である。
【００１２】
図１（ａ）に示すように、ウィッグ１は、ウィッグベース１０と、擬毛２０（毛髪部）と、固定具３０（装着部）を備える。
【００１３】
ウィッグ１は、利用者の頭部の一部を覆うタイプであるが、本発明は、頭部全体を覆うタイプのものにも適用することができる。また、ウィッグ１は、女性用でもよいし、男性用であってもよい。
【００１４】
なお、以下の説明では、利用者の頭部を「頭部Ｈｅ」、利用者の自毛を「自毛Ｈａｉ」、ウィッグ１の裏表については、ウィッグ１を頭部Ｈｅに装着した際に他人に視認される側を「表側」、この表側の反対に位置し頭部Ｈｅに近い側を「裏側」とする。後述する「温度」は、摂氏である。後述する「角部」は、２本の直線の端部同士が接する鋭利な部分を意味する。同様に後述する「ハート型」とは、トランプのハートのマークのように、全体の輪郭は逆三角に内接するような形状であり、上部中心付近に内側に入り込んだ谷部があり、対向する下端部分に鋭利に突出した部分（例えば、図２（ｃ）の符号１０ｂ参照。）があり、全体的には丸みを帯びた形状と表現することができる。
【００１５】
「内側に入り込んだ谷部」とは、両側から巻き込むように内側に向かって窪んだ領域であり、谷底に相当する先端（例えば、図２（ｃ）の符号１０ａ参照。）は鋭利となる。また、「全体に丸みを帯びた」とは、外周に直線の領域が殆ど存在せず、凹状又は凸状の湾曲部によって成形される意味である。
【００１６】
ウィッグベース１０は、擬毛２０及び固定具３０を保持する。ウィッグベース１０は、軽量で通気性に優れていることが望ましく、ここではメッシュ状（ネット状）に形成されているものとする。
【００１７】
ウィッグベース１０の形成材料は特に限定されず、例えば、シルク（絹）やナイロン（ポリアミド系繊維）や樹脂製などを用いることができる。
【００１８】
ウィッグベース１０の全体形状は、利用者の頭部Ｈｅにフィットするように、中央付近が膨らんだ緩やかな湾曲形状とすることが好ましい。ただし、ウィッグ１のサイズが小さい場合には平面的な形状であっても問題ない。
【００１９】
ウィッグベース１０は、ウィッグ１を裏側から見た場合、表面１１が露出しているが、図１（ｂ）に示すようにウィッグ１を表側から見た場合には擬毛２０によって隠されている。
【００２０】
ウィッグベース１０の擬毛２０が植設される領域の外周輪郭は、角部を持たずに全体的に丸みを帯びており（すなわち少なくとも一部が弧状に形成されており）、図１（ａ）では、一例として平面視にて略楕円形状を有している（以下、外周輪郭の形状は、平面視を前提とする。）。また、ウィッグベース１０の表面１１の所定の箇所には固定具３０が配設されており、図１（ａ）では一例としてウィッグベース１０の略中央部に１つ設けられている。
【００２１】
ウィッグベース１０には、擬毛２０が放射状に延びるように植設される。
【００２２】
図２（ａ）〜（ｈ）に示すように、ウィッグベース１０の外周輪郭や固定具３０の配設位置は、様々な変更が可能である。なお、図２（ａ）〜（ｈ）に示されたウィッグベース１０及び固定具３０は概略図であり、両者の大きさの比率は、図２（ａ）〜（ｈ）に限定されない。
【００２３】
図２（ａ）では、ウィッグベース１０が略楕円形状の外周輪郭を有し、ウィッグベース１０の端部に、それぞれ１つずつ合計２つの固定具３０が互いに間隔を開けて配置されている。この２つの固定具３０は、ウィッグベース１０の長手方向に沿う仮想的な直線（図中の破線参照）上に並ぶように配置される。
【００２４】
なお、固定具３０を平面方向に所定角度回転させた状態で設けてもよい。ここで平面方向とは、図２を正面に見たときの左右上下の方向である。
【００２５】
例えば、図２（ａ）の図示した状態を０度とした場合、０度〜１８０度又は０度〜−１８０度の範囲で回転させて設けてもよい。例えば、図２（ａ）において二つの固定具３０の角度を互いに異ならせる（例えば、互いに９０度ずれたりしたり、平面視で「ハ」字状となるようにしたりする）ように配置することもできる。このように、互いに異なる角度とした場合には、例えば、頭部Ｈｅに装着されたウィッグベース１０（ウィッグ１）が頭部Ｈｅから外れてしまうような力が、一方の固定具３０に対して加わったとしても配置角度の異なる他方の固定具３０がこの力に対する抵抗となって、ウィッグベース１０（ウィッグ１）が頭部Ｈｅから外れてしまうことを抑制することができる。
【００２６】
図２（ｂ）では、ウィッグベース１０が、例えば平板カムなどのカムを平面視したような全体的に少し膨らんだ三角形状の外周輪郭を有し、ウィッグベース１０の端部に、それぞれ一つずつ合計４つの固定具３０が互いに間隔を開けて配置されている。この４つの固定具３０は、それぞれ仮想的な四角形（図中の破線参照）の頂点部分に配置される。なお、平板カムの形状は、卵形状、おにぎり形状、涙滴形状と表現されることもあり、ウィッグベース１０の外周輪郭の形状のバリエーションには、これら卵形状、おにぎり形状、涙滴形状も含まれる。
【００２７】
図２（ｃ）では、ウィッグベース１０が、谷部１０ａが形成される側の縁部とは反対側の縁部において外側に向かって突出した鋭利な先端部１０ｂとを有する略ハート型の外周輪郭を有し、ウィッグベース１０の端部には、それぞれ一つずつ合計３つの固定具３０が互いに間隔を開けて配置されている。この３つの固定具３０は、それぞれ仮想的な三角形（図中の破線参照）の頂点部分に配置される。
【００２８】
すでに述べたように、擬毛２０は、ウィッグベース１０から放射状に延びるように植設されているので、図２（ｃ）に示す谷部１０ａを備えるウィッグベース１０では、谷部１０ａ付近の擬毛２０は、互いに交差する方向に延びる（図中の矢印参照）。この結果、谷部１０ａの周辺で擬毛の密集度合いが強くなり、ウィッグとしてのボリューム感を向上させることができる。
【００２９】
また先端部１０ｂにより、当該先端部１０ｂの周辺における擬毛２０が左右いずれの方向にも自然に流れる（なびく）ようになる。例えば、つむじ周辺に当該ウィッグ１を装着した場合に、つむじの右巻き、左巻きのいずれの場合にも自然に対応することが可能となる。
【００３０】
図２（ｄ）及び図２（ｅ）は、図２（ｃ）の変形例であり、上記したように、ハート型の縦横比、谷部の深さ、突出した下端部の鋭利の度合いを変更したものである。このように、ハート型の縦横比、谷部の深さ、突出した下端部の鋭利の度合い等について様々な変更が可能である。すなわち、図２（ｄ）及び図２（ｅ）に示したウィッグベース１０を使用した場合には、図２（ｃ）に示したウィッグベース１０と同様の効果を得ることができる。
【００３１】
図２（ｅ）に示したウィッグベース１０は、図２（ｃ）や図２（ｄ）に示した先端部１０ｂをなくしてなめらかにした形状を有し、５つの固定具３０が配置されている。５つのうち４つの固定具３０は、それぞれ仮想的な四角形（図中の破線参照、ここでは台形状）の頂点部分に配置され、残りの１つの固定具３０は、仮想的な四角形の領域内に位置する。このとき仮想的な四角形の重心に配置されると見た目のバランスがよくなる。
【００３２】
図２（ｅ）に示したウィッグベース１０は、比較的に円に近い平面形状となっている。このような形状のウィッグベース１０は、頭部の比較的広い範囲をカバーするウィッグに適している。また、比較的シンプルな形状であるため、製造コストの低減にも寄与する。
【００３３】
図２（ｆ）では、ウィッグベース１０が、略ひょうたん形状の外周輪郭を有し、左右に１つずつ合計２つの谷部１０ａが形成されている。この谷部１０ａは、左右対称に配置されてもよいし、互いが上下方向にずれて配置されてもよい。また、谷部１０ａを左右ではなく上下に配置してもよいし、左右上下合わせて４つの谷部１０ａを形成するようにしてもよい。図２（ｆ）では、図２（ａ）と同様に、ウィッグベース１０の端部に、それぞれ１つずつ合計２つの固定具３０が互いに間隔を開けて配置されている。
【００３４】
図２（ｆ）に示したウィッグベース１０を使用すると、２つの谷部１０ａの周辺で擬毛の密集度合いが強くなり、ウィッグとしてのボリューム感を向上させることができる。また、分け目を形成した時に毛分かれし難く、自然な感じで自毛Ｈａｉになじむことになる。
【００３５】
図２（ｇ）、図２（ｈ）は、ウィッグベース１０のさらなる変形例であり、図２（ａ）に示した略楕円形状のウィッグベース１０を複数用意し所定角度回転させて重ね合わせて縁取ったような外周輪郭を有す。
【００３６】
詳述すると図２（ｇ）に示すウィッグベース１０は、図２（ａ）に示したウィッグベース１０を２つ用意し一方を他方に対して略９０度回転させて重ね合わせて縁取ったような形状を有し、全体として略手裏剣形状に形成されている。図２（ｇ）に示すウィッグベース１０の端部には、それぞれ一つずつ合計４つの固定具３０が互いに間隔を開けて配置されている。この４つの固定具３０は、図２（ｂ）と同様に、それぞれ仮想的な四角形（図示せず）の頂点部分に配置される。
【００３７】
図２（ｇ）に示したウィッグベース１０では、図２（ｃ）などに示したウィッグベース１０に比べると、谷部１０ａを増加させつつバランスよく配置することができる。したがって、上記した谷部１０ａによる効果が得られる箇所を増加させつつ、外観上も綺麗にまとめることができる。
【００３８】
図２（ｈ）に示すウィッグベース１０は、図２（ａ）に示したウィッグベース１０を３つ用意し、略４５度ずつずれるように回転させて重ね合わせて縁取ったような形状を有している。図２（ｇ）に示すウィッグベース１０の端部には、それぞれ一つずつ合計４つの固定具３０が互いに間隔を開けて配置されている。この４つの固定具３０は、図２（ｂ）と同様に、それぞれ仮想的な四角形（図示せず）の頂点部分に配置される。
【００３９】
図２（ｇ）に示したウィッグベース１０を使用した場合には、図２（ｈ）に示したウィッグベース１０と同様の効果を得ることができる。
【００４０】
以上がウィッグベース１０の説明であるが、ウィッグベース１０の外周輪郭や固定具３０の配設位置は、さらに様々変形が可能である。例えば、図２に示した外周輪郭の各形状や固定具３０の配設位置を組み合わせてもよい。また、図２に示した各外周輪郭の一部を欠損させた形状としてもよい。
【００４１】
例えば、図２（ａ）に示した外周輪郭の一部を欠損させて、略三日月形状に形成したり、図２（ｃ）に示した外周輪郭の一部を半分欠損させてハートを半分にした形状に形成したりすることができる。また、例えばモミジのような葉っぱを連想させる形状やトランプのスペードやクローバーのような形状としてもよい。以上説明したようにウィッグベース１０の外周輪郭を形成することでデザイン性を向上させることもできる。
【００４２】
擬毛２０は、例えば、人毛や、人工毛や、これらを組み合わせたミックス毛であり、ウィッグベース１０に公知の植設方法にしたがって植設される。擬毛２０として、動物の毛が用いられる場合もある。
【００４３】
人工毛は、アクリル、化学繊維、又はナイロン等から作られ、ウィッグ１を軽量化しやすいという利点を有する。人毛は、より自然な見た目や手触り感を得られるという利点を有する。ミックス毛は、人工毛の利点と、人毛の両方の利点とを有する。動物の毛は、ウィッグ１の製造コストを抑え易いという利点を有する。
【００４４】
図３に示すように、ウィッグ１の裏側の擬毛２０（第１の毛髪部）の少なくとも一部は、頭部Ｈｅに向かって跳ねるように（毛羽立つように）形成される（以下、この跳ねる部分を毛羽部Ｆともいう。）。なお、図３に示す「Ｓｃ」は頭皮：Ｓｃａｌｐを意味する（図５も同様）。
【００４５】
毛羽部Ｆは、一本の独立した擬毛２０であってもよいし、何本かの擬毛２０が寄り集まったものでもよい。
【００４６】
毛羽部Ｆは、擬毛２０をテーパリングすることで形成することができる。テーパリングとは、例えば、剃刀（以下、レザーとも称す）のような刃物を用いて毛髪を削ぐ技法であり、例えば、裏側の擬毛２０を根元から毛先の方向に沿って徐々にそぎ取るようにカットしていく。テーパリングのことをテーパーカットと呼ぶこともある。
【００４７】
以下、テーパリングよる毛羽部Ｆ形成の具体例を説明する。
【００４８】
（１）櫛で擬毛２０を梳きながら、ヘア・パネル（テーパリングするためにとり出した板状の毛束）を用意する。
【００４９】
（２）ヘア・パネルの毛根側から毛先方向に一定の張力を加えながら、ヘア・パネルの表面（擬毛２０の毛羽部Ｆを形成する表面）にレザーの刀身を密着させる。
【００５０】
（３）レザーの刀身を擬毛２０に密着させたまま擬毛２０の流れ方向に移動させつつ、擬毛２０を所定の長さにカットする。なお移動中は、刀身と擬毛２０とがなす角度（刀身が擬毛２０から立ち上がる傾斜角度）を一定に保つことが望ましい。角度としては、好ましくは、１０度以上３５度以下、より好ましくは、２０度以上３２度以下、さらにより好ましくは、２８．５度以上２９．５度以下である。
【００５１】
（４）結果としてカットされた擬毛２０が毛羽立つ。
【００５２】
（５）所定量の毛羽部Ｆが形成されるまで上記（１）〜（４）を繰り返す。
【００５３】
なお、テーパリングは、ウィッグベース１０に植設された擬毛２０に対して行ってもよいし、植設する前の擬毛２０に対して行ってもよい。この場合、擬毛２０は、テーパリング後にウィッグベース１０に植設される。固定具３０については、テーパリング後にウィッグベース１０に取り付けるようにしてもよいし、テーパリング前に取り付けてもよい。すなわち、擬毛２０にテーパリングを施す工程、擬毛２０をウィッグベース１０に植設する工程、固定具３０をウィッグベース１０に設ける工程の各順番は、特に限定されない。
【００５４】
毛羽部Ｆの形成に使用される技法はテーパリングに限定されず、例えば、セニングカットやポインティングカットなど、様々な技法を用いることができる。また、これらを組み合わせて用いてもよい。また、レザーではなくシザー（ハサミ）を使用してもよい。
【００５５】
図４を用いて固定具３０について詳細に説明する。図４は、第１の実施形態に係るウィッグの固定具３０の構成図である。図４（ａ）は、固定具３０の正面図である。図４（ｂ）は、図４（ａ）のＡ−Ａ拡大断面図であり、固定具３０を凹状に湾曲した状態（ユーザの毛髪に取り付けられたときの状態）にしたことを示す。図４（ｃ）は、図４（ａ）のＡ−Ａ拡大断面図であり、固定具３０を凸状に湾曲した状態（ユーザの毛髪から外されるときの状態）にしたことを示す。図４（ｄ）は、櫛歯３３の先端側の拡大図である。
【００５６】
図４（ａ）に示すように、固定具３０は、湾曲板部材３１、弾性体３２及び櫛歯３３を備える。
【００５７】
湾曲板部材３１がウィッグベース１０に取り付けられることで、結果的に固定具３０がウィッグベース１０に取り付けられる。湾曲板部材３１のウィッグベース１０への取り付け方法は特に限定されず、例えば、湾曲板部材３１をウィッグベース１０に縫い付けたり、接着剤で固着したり、はとめを用いたり様々な方法を用いることができる。
【００５８】
湾曲板部材３１は、凹状又は凸状に自由に反転し得る可撓性の平板であり、中間に形成される空間３１０を周縁部３１１で囲んだ形状を有する。
【００５９】
弾性体３２は、図４（ａ）などに示すように、湾曲板部材３１の周縁部３１１に設けられる。弾性体３２は、この実施形態では、櫛歯３３の先端部が位置する側の周縁部３１１に設けられている。弾性体３２は、図４（ｂ）に示すように、櫛歯３３が湾曲板部材３１側に押圧された場合に櫛歯３３に圧接するものであり、圧接時における両者の挟持力を向上させるために設けられる。
【００６０】
また、弾性体３２によってウィッグ１を装着時に利用者の自毛Ｈａｉが傷ついてしまうことを抑制することができる。弾性体３２の材料は特に限定されないが、例えば、ミラブル型シリコーンゴムが材料として挙げられる。
【００６１】
櫛歯３３は可撓性で細径の複数の棒体３３０からなる。なお、ここでは図面を見やすくするために、複数のうちの一部の棒体３３０にのみ「３３０」の符号を付している。棒体３３０は、湾曲板部材３１の長手方向と直交する短手方向に沿うように配設され、互いに所定の間隔をあけて並んでいる。棒体３３０の基端部は、周縁部３１１の空間３１０を挟んで互いに対向する辺のうちの１つの辺３１１ａに固着されて片持ち支持される。棒体３３０の先端は、球状に形成される。先端を球状に形成することで、例えばウィッグ１を頭部Ｈｅに装着する際、又は、頭部Ｈｅから取る際に頭皮を引っ掻いて傷つけてしまうことを抑制することができる。
【００６２】
図４（ｂ）に示すように、湾曲板部材３１が凹状に湾曲している場合、櫛歯３３は湾曲板部材３１に押圧され、棒体３３０の先端側の一部の面が弾性体３２と密着する。
【００６３】
逆に図４（ｃ）に示すように、湾曲板部材３１が凸状に反転湾曲した場合、櫛歯３３は、湾曲板部材３１の押圧が解けて、棒体３３０が基端部を軸にして湾曲板部材３１から離れる方向に移動する。この場合には櫛歯３３と湾曲板部材３１との間には空間部３４が形成される。
【００６４】
棒体３３０は、その基端部から真っ直ぐに延設されてもよいがここでは途中で屈曲している。このように屈曲させることにより、図４（ｂ）に示した状態における挟持力の向上を図ると共に、人間の頭部Ｈｅへの局圧を極力低下させることができる。
【００６５】
棒体３３０は、図４（ｄ）に示すように、球状に形成された先端を含む先端側の一部がコーティング材３３１でコーティングされた層構造を有している。ここでは、図示を省略したが、棒体３３０とコーティング材３３１との間には、コーティング材３３１を棒体３３０に固着させるための合成樹脂（例えば、シリコン樹脂）層が設けられる。
【００６６】
なお、コーティング材３３１がコーティングする部位は、特に限定されず、例えば、棒体３３０の先端部の球状部分のみをコーティングしたり、先端の球状部分から弾性体３２の終端部分（図４（ａ）において、空間３１０に位置し、辺３１１ａと対面する部分）にかけてコーティングしたり、棒体３３０を全体的にコーティングしたりするようにしてもよい。また、湾曲板部材３１も含めてコーティングするようにしてもよい。
【００６７】
コーティング材３３１は、少なくともシルク粉末及び／又は遠赤外線鉱石末を含んでいる。
【００６８】
コーティング材３３１の具体例としてコーティング材３３１にシルク粉末を使用する（すなわち、コーティング材３３１の略すべてがシルク粉末の）場合、遠赤外線鉱石末を使用する（すなわち、コーティング材３３１の略すべてが遠赤外線鉱石末の）場合、シルク粉末及び遠赤外線鉱石末を使用する場合について説明する。
【００６９】
（シルク粉末を使用する場合）
コーティング材３３１にシルク粉末を使用する場合、櫛歯３３の先端の球状部分から所定の部分（例えば、弾性体３２の終端部分）に相当する部位にシリコン樹脂を塗布した後、シルク粉末で表面をコーティングする。
【００７０】
シルク粉末の粒形は、５０［Ｍｅ―ｐａｓｓ］以上が好ましく１００［Ｍｅ―ｐａｓｓ］以上がさらに好ましい。「Ｍｅ−ｐａｓｓ」は、メッシュ（粒状のものを振り分ける篩（ふるい）の目の大きさの単位（ＡＳＴＭ規格））を意味しており、例えば、５０［Ｍｅ―ｐａｓｓ］は、５０メッシュ（mesh）の篩をシルク粉末の粒が通過することを意味する。メッシュは、値が大きくなるにつれて篩の目は細くなる。メッシュは、ＪＩＳ規格のふるいの目開きに換算可能であり、例えば、５０メッシュは、３００[μｍ]に相当する。
【００７１】
シルク粉末の粒形が小さくなれば、シルク粉末のコーティング材３３１はより滑らかになり、自毛Ｈａｉが棒体３３０と接触することによってダメージを受けてしまうことを好適に抑制することができる。
【００７２】
（遠赤外線鉱石末を使用する場合）
遠赤外線鉱石末は、室温（ＲＴ）〜４０度（℃）程度のときに遠赤外線の放射が良好な鉱石の粉末である。
【００７３】
コーティング材３３１に遠赤外線鉱石末を使用する場合、櫛歯３３の先端の球状部分から所定の部分（例えば、弾性体３２の終端部分）に相当する部位にシリコン樹脂を塗布した後、遠赤外線鉱石末で表面をコーティングし、その上からさらにシリコン樹脂で表面をコーティングする。
【００７４】
遠赤外線鉱石末としては、波長域が２〜２５[μｍ]の赤外線放射エネルギー（積分値）が、３２０［Ｗ／ｍ＾２］以上４６２［Ｗ／ｍ＾２］（同波長域の理想的な黒体（完全放射体）の赤外線放射エネルギー）以下であることが好ましく、下限値は４２２［Ｗ／ｍ＾２］以上であることがさらに好ましい。
【００７５】
赤外線放射エネルギーが大きいほど（黒体の赤外線放射エネルギーに近いほど）、頭部Ｈｅの頭皮の血流を好適に促進させることができる。したがって、遠赤外線鉱石末の放射率（黒体に対する赤外線放射エネルギーの比であり、ここでは％（パーセンテージ）で示す。）は、略７０％以上であることが好ましく、１００％に近い程より好ましい。
【００７６】
遠赤外線鉱石末の粒形は、５０［Ｍｅ―ｐａｓｓ］以上が好ましく１００［Ｍｅ―ｐａｓｓ］以上がさらに好ましい。遠赤外線鉱石末が小さくなれば、遠赤外線鉱石末のコーティング材３３１はより滑らかになり、外観を綺麗に仕上げやすくなる。
【００７７】
遠赤外線鉱石末が遠赤外線を放射することによって頭部Ｈｅの頭皮の血流を促進ささせることができる。この結果、抜け毛を防止したり、育毛を促進したりすることができる。また、上記したように、遠赤外線鉱石末の上にシリコン樹脂でコーティングすることによって、自毛Ｈａｉが遠赤外線鉱石末と接触することでダメージを受けてしまうことを好適に抑制することができる。
【００７８】
（シルク粉末及び遠赤外線鉱石末を使用する場合）
コーティング材３３１にシルク粉末及び遠赤外線鉱石末を使用する場合は、櫛歯３３の先端の球状部分から所定の部分（例えば、弾性体３２の終端部分）に相当する部位にシリコン樹脂を塗布した後、遠赤外線鉱石末で表面をコーティングし、その上にさらにシリコン樹脂を塗布してからシルク粉末で表面をコーティングする。この結果、上記したシルク粉末を用いた効果と、遠赤外線鉱石末を用いた効果を得ることができる。
【００７９】
（使用方法）
次に図５を用いて、第１の実施形態の使用方法について説明する。図５は、第１の実施形態に係るウィッグの使用方法を説明する概略図である。なお、図５では、見やすさを優先させてウィッグ１の一部分のみを図示している。また、以下の説明では、必要に応じて図４なども参照する。
【００８０】
利用者は、まず、固定具３０を図４（ｃ）に示したように湾曲板部材３１を凸状に反転湾曲させて櫛歯３３を開き、ウィッグ１を頭部Ｈｅの装着したい部位に乗せ、固定具３０を図４（ｂ）に示したように閉じる。この結果、ウィッグ１が頭部Ｈｅに装着される。
【００８１】
利用者が、手や櫛で自毛Ｈａｉと擬毛２０をなじませることで、見た目的に違和感のない状態となる。このとき毛羽部Ｆは、自毛Ｈａｉの間に入り込んだり、重なり合ったり、からみ合ったりする。
【００８２】
以上のように、本発明のウィッグ１は、頭部Ｈｅに装着される装着部（固定具３０）を備えたウィッグベース（ウィッグベース１０）と、前記ウィッグベースに植設された毛髪（擬毛）を備える毛髪部（擬毛２０）とを具備し、前記毛髪部は、前記頭部に装着された際に前記頭部側（裏側）に位置される第１の毛髪部（擬毛２０のうち、裏側にある複数の擬毛２０）の少なくとも一部が、前記頭部側に向かって突出するように切断されていることを特徴とする。
【００８３】
第１の毛髪部（擬毛２０のうち、裏側にある複数の擬毛２０）の少なくとも一部が、頭部側に向かって突出するように切断されており、このように切断された裏側にある複数の擬毛２０（毛羽部Ｆ）が自毛Ｈａｉの間に入り込んだり、重なり合ったり、からみ合ったりするので、擬毛２０と自毛Ｈａｉが分離しにくくなり、擬毛２０が自毛Ｈａｉから浮いてしまったりすることを抑制することができる。したがって、装着の不自然さが出てしまうことを効果的に抑制することが可能となる。
【００８４】
本発明のウィッグベース１０は、前記毛髪が植設される領域の輪郭の少なくとも一部が弧状に形成されていることを特徴とする。弧状の輪郭部分は、頭部Ｈｅの曲面と親和性が良く、ウィッグベース１０が不自然に浮いてしまうことを抑制することができる。
【００８５】
前記装着部（固定具３０）は、装着対象の毛髪（自毛Ｈａｉ）を挟持し、前記装着部（固定具３０）の少なくとも一部には、前記装着対象の毛髪（自毛Ｈａｉ）を保護する保護層（コーティング材３３１）が設けられることを特徴とする。コーティング材３３１によって、ウィッグ１を使用した場合に生じる毛髪や頭皮のダメージを抑制することができる。
【００８６】
前記ウィッグベース１０には、２以上の前記装着部（固定具３０）が設けてもよい。装着部（固定具３０）を２以上設けることで、ウィッグ１を確実に装着することができる。
【００８７】
頭部Ｈｅに装着される装着部（固定具３０）を用意するステップと、前記装着部が取り付けられるウィッグベース（ウィッグベース１０）を用意するステップと、前記ウィッグベースに前記装着部を取り付けるステップと、毛髪（擬毛２０）を用意するステップと、前記ウィッグベースに前記毛髪を植設するステップと、前記毛髪のうち、前記頭部に装着された際に前記頭部側に位置される毛髪の少なくとも一部を前記頭部側に向かって突出するように切断するステップと、を具備することを特徴とする。
【００８８】
（変形例について）
以上、本発明の第１の実施形態について説明したが、本発明は、様々な変形が可能である。以下、本発明のいくつかの変形例を説明する。
【００８９】
（変形例１）
図６は、本発明の変形例１に係るウィッグの概略図である。本発明には、図６に示すような、幅が狭いタイプのウィッグ２も含まれる。
【００９０】
ウィッグ２は、本発明の第１の実施形態のウィッグ１よりも頭部Ｈｅの覆う部分を限定したタイプであり、頭髪にワンポイント的なアクセントを付けることができる。
【００９１】
ウィッグ２では、自毛Ｈａｉで隠れることを前提としてウィッグベース１０が露出しているが、図１（ｂ）に示すように、ウィッグベース１０が擬毛２０で隠れるように構成してもよい。ウィッグ２は、ウィッグ１と同様に、固定具３０によって頭部Ｈｅに装着される。
【００９２】
（変形例２）
図７は、本発明の変形例２に係るウィッグの概略図である。図７は、見やすさを優先させて、擬毛２０を白抜き状態で模式的に図示している。なお、図７に示した本願の変形例２は図１などに示したウィッグ１及び図６に示したウィッグ２のどちらにも適用することができる。
【００９３】
図７に示すように、毛羽部Ｆを部分的に形成するようにしてもよい。例えば、図７（ａ）に示すように、擬毛２０の毛元側に偏らせて毛羽部Ｆを設けてもよいし、図７（ｂ）に示すように、根元側と毛先側の２箇所に偏らせて毛羽部Ｆを設けてもよい。
【００９４】
また、図７（ｃ）に示すように、擬毛２０の根元と毛先の中間部に偏らせて毛羽部Ｆを設けてもよいし、図７（ｄ）に示すように、毛先側に偏らせて毛羽部Ｆを設けてもよい。なお、根元は固定具３０（図示せず）で頭部Ｈｅにしっかりと装着されるため、毛羽部Ｆを部分的に形成する場合には、固定具３０から離れた位置、すなわち根元よりも毛先側に偏らせた方が、ウィッグが頭髪から浮いてしまったり、装着位置がずれてしまったりして装着の不自然さが出てしまうことを好適に抑制することができる。
【００９５】
（変形例３）
図８は、本発明の変形例３に係るウィッグの概略図である。図８は、図７と同様に見やすさを優先させて、擬毛２０を白抜き状態で模式的に図示している。図８に示した本願の変形例３は図１などに示したウィッグ１及び図６に示したウィッグ２のどちらにも適用することができる。
【００９６】
図８に示すように、毛羽部Ｆの突出する方向の長さを部分的に変えることができる。例えば、図８（ａ）に示すように、擬毛２０の毛先から根元に向かうにつれて段々と長くなっていったり、図８（ｂ）に示すように、毛先から根元に向かうにつれて、段々と長くなった後、極端に短くなり、また段々と長くなっていったり、図８（ｃ）に示すように、毛先から根元に向かうにつれて、段々と短くなった後、段々と長くなっていったりするように形成することができる。なお、図８に示した毛羽部Ｆの形成箇所は一例であり、特に限定されず、例えば、図３や図６に示したように擬毛２０の長さ方向に沿って全体的に形成するパターンや図７に示したパターンも含まれる。
【００９７】
（その他の変形例）
本発明は、上記のウィッグ以外にもヘアサロンなどで施工されるヘアーエクステンション（所謂エクステ）にも適用することができる。なお近年、ヘアサロンではなく、例えば通販などで売買され、ユーザが気軽に購入及び装着が可能なエクステも存在するが、このようなエクステについては、図６に示した変形例１のウィッグ２に対応するのでここでは詳細な説明は省略する。
【実施例１】
【００９８】
発明者らは、被験者２名（被験者１：５０歳男性，被験者２：４６歳女性）に対し、固定具３０の試料Ａ及び試料Ｂ、ならびにこれらの比較のために用いた固定具である試料Ｃを装着させ、コーティング材３３１によって毛髪や頭皮へのダメージが抑制されるか否かの検査を実施した。また、固定具を装着していない部位を試料Ｄとして、この試料Ｄに対応する頭部の検査も併せて行った。なお、本発明はこの実施例に限定されるものではない。
【００９９】
初めに、試料Ａ〜Ｄについて詳細に説明する。
（試料Ａ）
櫛歯３３の先端の球状部分から弾性体３２の終端部分に相当する部位にシリコン樹脂を塗布した後、シルク粉末（粒形１００Ｍｅ―ｐａｓｓ）で表面をコーティングした。
（試料Ｂ）
櫛歯３３の先端の球状部分から弾性体３２の終端部分に相当する部位にシリコン樹脂を塗布した後、遠赤外線鉱石末（粒形１００Ｍｅ―ｐａｓｓ）で表面をコーティングし、さらにシリコン樹脂で表面をコーティングした。試料Ｂの遠赤外線鉱石末の２〜２５[μｍ]の波長域での赤外線放射エネルギー（積分値）は、４２２［Ｗ／ｍ＾２］である。理想的な黒体（完全放射体）のこの波長域での赤外線放射エネルギーは、４６２［Ｗ／ｍ＾２］であり、試料Ｂの遠赤外線鉱石末の放射率は９１［％］となる。
【０１００】
（試料Ｃ）
シリコン剤で表面にコーティングが施されているが、上記した試料Ａ又は試料Ｂなどに記載のシルク粉末や遠赤外線鉱石末などのコーティングは施されていない固定具である。
（試料Ｄ）
固定具を装着しない状態である。
＜検査について＞
図９は、被験者の頭部を頭頂部からみた概略図である。図９に示すように被験者の頭部の各部位に試料Ａ、試料Ｂ、試料Ｃを装着させて毛髪検査及び頭皮検査を行った。すなわち装着位置は、試料Ａ：右前頭部、試料Ｂ：左前頭部、試料Ｃ：右後頭部となる。また、試料Ｄは、左後頭部である。
【０１０１】
毛髪検査及び頭皮検査の手順を詳細に説明する。
（手順１）
２名の被験者の頭皮及び毛髪に異常がないことを確認した。また、試験日前には、頭皮の正常化期間として、トニックシャンプー、育毛剤などの使用を禁止し、刺激性のある食事の制限及び被験者にとって適切な睡眠時間の徹底を奨励し、体調に配慮した準備を実施した。
（手順２）
試験日には、被験者の２人は、室温２５℃、湿度５０％の部屋で着座姿勢にて約１０分待機し、試験室内の環境への馴化（順化）を行った。
【０１０２】
（手順３）
馴化終了後、試料Ａなどを装着する前に、図９に示した装着予定部位の毛髪及び頭皮検査を行った。毛髪検査は、レプリカ法を採用し、光学顕微鏡を用いて行った。この後、説明する画像は光学顕微鏡の倍率を１００倍としている。
【０１０３】
毛髪は、中心から外側に向かってメデュラ（毛髄質）、コルテックス（毛皮質）、キューティクル（毛小皮又は毛表皮）の層構造になっている。毛髪検査では、このうちのキューティクルの状態を検査した。
【０１０４】
「キューティクル」は、毛髪の表面を覆っている部分であり、外部の刺激から毛髪内部を守り、コルテックスのタンパク質や水分が失われないように働く。キューティクルは、根元から毛先に向かってウロコ状（紋理）に重なり合い、１枚の細胞は非常に薄く、通常６〜８枚が密着した層をなしてる。
【０１０５】
キューティクルの成分は、イオウ含有量の多いケラチン（硬質タンパク質）であり、硬い反面、もろくて摩擦に弱いため、ブラッシングなどで無理な力がかかると傷ついたり、はがれやすくなったりする。健康な髪は、紋理が、規則的に整った波状をしており、逆に傷んだ髪は、紋理が乱れる。
【０１０６】
頭皮検査は、マイクロスコープ（高画素のカラーカメラと照明、各種倍率のレンズ、接続ケーブルなどを備えた拡大表示装置）及びサーモグラフィーカメラを用いて行った。この後、説明する画像はマイクロスコープの倍率を５０倍としている。なお、サーモグラフィーカメラには日本アビオニクス社製のＴＶＳ−７００を使用した。
【０１０７】
（手順４）
被験者２人は、試料Ａ、試料Ｂ、試料Ｃを装着し、用意された室内で過ごした。このとき、室内を自由に行動することができるが、外出及び発汗するような激しい行動は禁止した。
【０１０８】
（手順５）
試料Ａ、試料Ｂ、試料Ｃを装着してから約５時間後並びに１０時間後に、手順２と同じ方法で馴化を行い、手順３と同じ方法で、毛髪及び頭皮検査を行った。
【０１０９】
図１０〜図２１に毛髪及び頭皮の検査結果を示す。
【０１１０】
まず図１０〜図１３を参照して、電子顕微鏡による毛髪の検査結果を説明する。
【０１１１】
図１０及び図１１は、被験者１（５０歳男性）の毛髪検査の結果であり、図１０（ａ）は、試料Ａを装着した部位、図１０（ｂ）は、試料Ｂを装着した部位、図１１（ａ）は、試料Ｃを装着した部位、図１１（ｂ）は、試料Ｄ（固定具を装着しない状態）の部位である。
【０１１２】
同様に、図１２及び図１３は、被験者２（４６歳女性）の毛髪検査の結果であり、図１２（ａ）は、試料Ａを装着した部位、図１２（ｂ）は、試料Ｂを装着した部位、図１３（ａ）は、試料Ｃを装着した部位、図１３（ｂ）は、試料Ｄ（固定具を装着しない状態）の部位である。
【０１１３】
被験者１の試料Ａ装着前の毛髪は、紋理の乱れがなく、綺麗な状態であった。装着５時間後も綺麗な状態を保っており、さらに装着１０時間後でも紋理の乱れは略確認できなかった（図１０（ａ）参照）。
【０１１４】
被験者１の試料Ｂ装着前の毛髪も紋理の乱れがなく、綺麗な状態であった。装着５時間後も綺麗な状態を保っており、さらに装着１０時間後でも紋理の乱れは略確認できなかった（図１０（ｂ）参照）。
【０１１５】
被験者１の試料Ｃ装着前の毛髪も紋理の乱れがなく、綺麗な状態であったが、装着５時間後には、紋理の乱れ（図中の毛髪に穴のように開いた黒い部分など）が目立つようになり、装着１０時間後には紋理の乱れがさらに細かくなっていた（図１１（ａ）参照）。
【０１１６】
各試料を装着する前に検査した被験者１の試料Ｄの部位の毛髪は、紋理の乱れがなく、綺麗な状態であった。装着５時間後も綺麗な状態を保っていたが、装着１０時間後では、乱れとまではいかないが、ごく僅かだが紋理を視認しやすくなっていた（図１１（ｂ）参照）。
【０１１７】
以上の結果から、被験者１の試料Ａ、試料Ｂ、試料Ｃの検査結果について、試料Ｄと対比すると、試料Ａと試料Ｄとで紋理の乱れの有意差は略見られず、試料Ａの装着によってキューティクルが損傷してしまうことはないことがわかった。
【０１１８】
試料Ｂと試料Ｄとでは、紋理の乱れの有意差は略見られず、試料Ｂの装着によってキューティクルが損傷してしまうことはないことがわかった。
【０１１９】
試料Ｃと試料Ｄとでは、紋理の乱れに有意差が見られ、試料Ｃの装着によってキューティクルが損傷してしまうことがわかった。
【０１２０】
被験者２の試料Ａ装着前の毛髪は、ごく一部に目立つ黒い紋理の乱れがあったが、全体としては綺麗な状態であった。装着５時間後には、乱れとまではいかないが、ごく僅かだが紋理を視認しやすくなっている状態が確認でき、装着１０時間後も同様の状態であることが確認できた（図１２（ａ）参照）。
【０１２１】
被験者２の試料Ｂ装着前の毛髪は、ごく僅かだが紋理を視認しやすくなっている状態だったが、全体としては綺麗な状態であった。装着５時間後及び装着１０時間後も同様の状態であることが確認できた（図１２（ｂ）参照）。
【０１２２】
被験者２の試料Ｃ装着前の毛髪は、紋理の乱れがなく、綺麗な状態であったが、装着５時間後には、画像に不規則な黒い紋理の乱れが目立つようになり、装着１０時間後には紋理がさらに乱れていた（図１３（ａ）参照）。
【０１２３】
各試料を装着する前に検査した被験者２の試料Ｄの部位の毛髪は、紋理の乱れがなく、綺麗な状態であった。装着５時間後も綺麗な状態を保っていたが、装着１０時間後では、乱れとまではいかないが、ごく僅かだが紋理を視認しやすくなっていた（図１３（ｂ）参照）。
【０１２４】
以上の結果から、被験者２の試料Ａ、試料Ｂ、試料Ｃの検査結果について、試料Ｄと対比すると、被験者１と同様の結果となった。
【０１２５】
次に、図１４〜図１７を参照して、マイクロスコープによる頭皮の検査結果を説明する。
【０１２６】
図１４及び図１５は、マイクロスコープによる被験者１（５０歳男性）の頭皮検査の結果であり、図１４（ａ）は、試料Ａを装着した部位、図１４（ｂ）は、試料Ｂを装着した部位、図１５（ａ）は、試料Ｃを装着した部位、図１５（ｂ）は、試料Ｄ（固定具を装着しない状態）の部位である。
【０１２７】
同様に、図１６及び図１７は、マイクロスコープによる被験者２（４６歳女性）の頭皮検査の結果であり、図１６（ａ）は、試料Ａを装着した部位、図１６（ｂ）は、試料Ｂを装着した部位、図１７（ａ）は、試料Ｃを装着した部位、図１７（ｂ）は、試料Ｄ（固定具を装着しない状態）の部位である。
【０１２８】
被験者１の試料Ａ装着前〜装着１０時間後の頭皮には、例えば、傷や肌荒れなどの変化はなかった（図１４（ａ）参照）。
【０１２９】
同様に、被験者１の試料Ｂ装着前〜装着１０時間後の頭皮には、例えば、傷や肌荒れなどの変化はなかった（図１４（ｂ）参照）。そして、試料Ｃや試料Ｄも同様であった（図１５（ａ）及び図１５（ｂ）参照）。
【０１３０】
すなわち、被験者１の試料Ａ、試料Ｂ、試料Ｃの検査結果について、試料Ｄと対比すると、それぞれ有意差は確認できず、試料Ａ、試料Ｂ、試料Ｃを装着しても頭皮に問題を起こすようなことがないことがわかった。
【０１３１】
被験者２についても同様であり、頭皮には、例えば傷や肌荒れなどの変化はなかった（図１６（ａ）〜図１７（ｂ）参照）。したがって、被験者１と同様に、被験者２の試料Ａ、試料Ｂ、試料Ｃの検査結果について、被験者２の試料Ｄと対比すると、それぞれ有意差は確認できず、試料Ａ、試料Ｂ、試料Ｃを装着しても頭皮に問題を起こすようなことがないことがわかった。
【０１３２】
次に、図１８〜図２１を参照して、サーモカメラによる頭皮の検査結果を説明する。
【０１３３】
図１８及び図１９は、サーモカメラによる被験者１（５０歳男性）の頭皮検査の結果であり、図１８（ａ）は、試料Ａを装着した部位、図１８（ｂ）は、試料Ｂを装着した部位、図１９（ａ）は、試料Ｃを装着した部位、図１９（ｂ）は、試料Ｄ（固定具を装着しない状態）の部位である。
【０１３４】
同様に、図２０及び図２１は、サーモカメラによる被験者２（４６歳女性）の頭皮検査の結果であり、図２０（ａ）は、試料Ａを装着した部位、図２０（ｂ）は、試料Ｂを装着した部位、図２１（ａ）は、試料Ｃを装着した部位、図２１（ｂ）は、試料Ｄ（固定具を装着しない状態）の部位である。
【０１３５】
図１８〜図２１では、温度が低い部位が黒く、温度が高い部分が白くなっている。
【０１３６】
被験者１の頭皮の温度は、試料Ａ装着前〜装着１０時間後のいずれも温度の低い部分と高い部分が混ざりあっているのが確認できた（図１８（ａ）参照）。
【０１３７】
被験者１の頭皮温度は、試料Ｂ装着前は、温度の低い部分と高い部分が混ざりあっていたが、装着５時間後には、温度が高い部分が大部分を占めており、その傾向は、装着１０時間後も同様であることが確認できた（図１８（ｂ）参照）。
【０１３８】
被験者１の頭皮の温度は、試料Ｃ装着前〜装着１０時間後のいずれも温度の低い部分と高い部分が混ざりあっているのが確認できた。装着５時間後及び装着１０時間後では、どちらからというと温度が低い部分が大部分を占めていた（図１９（ａ）参照）。
【０１３９】
被験者１の試料Ｄの部位の頭皮の温度は、試料Ａや試料Ｃと同様に、装着前〜装着１０時間後のいずれも温度の低い部分と高い部分が混ざりあっているのが確認できた（図１９（ｂ）参照）。
【０１４０】
以上の結果から、被験者１の試料Ａ、試料Ｂ、試料Ｃの検査結果について、試料Ｄと対比すると、試料Ａと試料Ｄとでは、温度の高低の差異は確認できるものの、頭皮の低い温度と高い温度が混在するという点で有意差は確認できなかった。
【０１４１】
試料Ｂと試料Ｄとでは、こちらは有意差が見られ、試料Ｂを装着した場合、頭皮の高い温度が持続することがわかった。
【０１４２】
試料Ｃと試料Ｄとでは、温度の高低の差異は確認できるものの、頭皮の低い温度と高い温度が混在するという点で有意差は確認できなかった。
【０１４３】
すなわち、被験者１の試料Ａ、試料Ｂ、試料Ｃの検査結果について、試料Ｄと対比すると、試料Ｂを装着することで頭皮が高い温度を維持することがわかった。試料Ｂによって頭皮の血流が促進されたことが考えられる。
【０１４４】
被験者２の頭皮の温度は、試料Ａ装着前〜装着１０時間後のいずれも温度の低い部分と高い部分が混ざりあっていた（図２０（ａ）参照）。
【０１４５】
被験者２の頭皮温度は、試料Ｂ装着前は、温度の低い部分と高い部分が混ざりあっていたが、装着５時間後には、温度が高い部分が多くなり、装着１０時間後では、その傾向がさらに顕著になっていることが確認できた（図２０（ｂ）参照）。
【０１４６】
被験者２の頭皮の温度は、試料Ｃ装着前〜装着１０時間後のいずれも温度の低い部分と高い部分が混ざりあっていた。装着５時間後及び装着１０時間後では、どちらからというと温度が低い部分が多く占めていた（図２１（ａ）参照）。
【０１４７】
被験者２の試料Ｄの部位の頭皮は、試料Ａや試料Ｃと同様に、各試料を装着する前〜装着１０時間後のいずれも温度の低い部分と高い部分が混ざりあっているのが確認できた（図２１（ｂ）参照）。
【０１４８】
以上の結果から、被験者２の試料Ａ、試料Ｂ、試料Ｃの検査結果について、試料Ｄと対比すると、被験者１と同様の傾向であることが確認でき、試料Ｂを装着することで、頭皮が高い温度を維持することがわかった。試料Ｂによって頭皮の血流が促進されたことが考えられる。
【０１４９】
以上のことから、次の（１）〜（３）が示唆される。
（１）試料Ｃのように、シリコン剤で表面にコーティングが施されているが、上記した試料Ａ又は試料Ｂのようにシルク粉末や遠赤外線鉱石末などのコーティングが施されていない固定具では、シリコン剤の硬度や表面形状によって、硬質ケラチン体である毛髪キューティクルに対し、損傷を及ぼす。
（２）固定具にシルクコーティングを施すことで、キューティクルの損傷を好適に抑制することが可能となる。
（３）遠赤外線鉱石末をコーティングすることで、キューティクルの損傷を好適に抑制しつつ、頭皮の血流を促進させることができると考えられる。頭皮の血流が促進されることで毛髪に栄養を好適に供給することができ、この結果、抜け毛を防止したり、育毛を促進したりすることが期待できる。
【産業上の利用可能性】
【０１５０】
以上のように、本発明は、装着の不自然さが出てしまうことを効果的に抑制することが可能なウィッグ及びウィッグの作成方法を提供することができる。
【符号の説明】
【０１５１】
１,２  ウィッグ
１０  ウィッグベース
２０  擬毛
３０  固定具
【図１】
2020037754.tif 000003
【図２】
2020037754.tif 000004
【図３】
2020037754.tif 000005
【図４】
2020037754.tif 000006
【図５】
2020037754.tif 000007
【図６】
2020037754.tif 000008
【図７】
2020037754.tif 000009
【図８】
2020037754.tif 000010
【図９】
2020037754.tif 000011
【図１０】
2020037754.tif 000012
【図１１】
2020037754.tif 000013
【図１２】
2020037754.tif 000014
【図１３】
2020037754.tif 000015
【図１４】
2020037754.tif 000016
【図１５】
2020037754.tif 000017
【図１６】
2020037754.tif 000018
【図１７】
2020037754.tif 000019
【図１８】
2020037754.tif 000020
【図１９】
2020037754.tif 000021
【図２０】
2020037754.tif 000022
【図２１】
2020037754.tif 000023